(57)【特許請求の範囲】
【請求項１】
制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）領域とデータチャネル（ＰＤＳＣＨ：Ｐｈｙｓｉｃａｌ  Ｄｏｗｎｌｉｎｋ  Ｓｈａｒｅｄ  Ｃｈａｎｎｅｌ）領域が分離した移動通信システムで、基地局が端末にダウンリンク制御情報を伝送する方法であって、
ダウンリンク制御情報を生成する段階と；
前記データチャネル領域を通じて前記ダウンリンク制御情報を伝送するダウンリンク制御チャネル（ｅＰＤＣＣＨ：ｅｎｈａｎｃｅｄ  Ｐｈｙｓｉｃａｌ  Ｄｏｗｎｌｉｎｋ  ＣｏｎｔｒｏｌＣｈａｎｎｅｌ）資源を決定する段階と；
前記生成されたダウンリンク制御情報を前記決定された制御チャネル資源を利用して前記端末に伝送する段階と；を含み、
前記ダウンリンク制御情報を伝送する制御チャネル資源を決定する段階で、前記制御チャネル資源は、前記データチャネル領域内でダウンリンク制御チャネル（ｅＰＤＣＣＨ）が伝送される全体ＰＲＢ集合に対する情報、前記全体ＰＲＢ集合のうち前記ダウンリンク制御チャネル（ｅＰＤＣＣＨ）が伝送される端末機別ＰＲＢ集合に対する情報及び前記端末機別ＰＲＢ集合に属する資源（ｅＣＣＥ：ｅｎｈａｎｃｅｄ  Ｃｏｎｔｒｏｌ  Ｃｈａｎｎｅｌ  Ｅｌｅｍｅｎｔ）に対する情報のうち少なくとも１つを利用して特定され、
前記ダウンリンク制御情報を伝送する制御チャネル資源を決定する段階で、前記全体ＰＲＢ集合、前記端末機別ＰＲＢ集合及び前記端末機別ＰＲＢ集合に属する資源（ｅＣＣＥ）のうち少なくとも１つは、前記端末の固有識別子及び前記ダウンリンク制御チャネルが伝送されるスロット番号のうち少なくとも１つを利用して決定するように構成される、ダウンリンク制御情報伝送方法。
【請求項２】
制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）領域とデータチャネル（ＰＤＳＣＨ：Ｐｈｙｓｉｃａｌ  Ｄｏｗｎｌｉｎｋ  Ｓｈａｒｅｄ  Ｃｈａｎｎｅｌ）領域が分離した移動通信システムで、基地局が端末にダウンリンク制御情報を伝送する方法であって、
ダウンリンク制御情報を生成する段階と；
前記データチャネル領域を通じて前記ダウンリンク制御情報を伝送するダウンリンク制御チャネル（ｅＰＤＣＣＨ：ｅｎｈａｎｃｅｄ  Ｐｈｙｓｉｃａｌ  Ｄｏｗｎｌｉｎｋ  ＣｏｎｔｒｏｌＣｈａｎｎｅｌ）資源を決定する段階と；
前記生成されたダウンリンク制御情報を前記決定された制御チャネル資源を利用して前記端末に伝送する段階と；を含み、
前記ダウンリンク制御情報を伝送する制御チャネル資源を決定する段階で、前記制御チャネル資源は、前記データチャネル領域内でダウンリンク制御チャネル（ｅＰＤＣＣＨ）が伝送される全体ＰＲＢ集合に対する情報、前記全体ＰＲＢ集合のうち前記ダウンリンク制御チャネル（ｅＰＤＣＣＨ）が伝送される端末機別ＰＲＢ集合に対する情報及び前記端末機別ＰＲＢ集合に属する資源（ｅＣＣＥ：ｅｎｈａｎｃｅｄ  Ｃｏｎｔｒｏｌ  Ｃｈａｎｎｅｌ  Ｅｌｅｍｅｎｔ）に対する情報のうち少なくとも１つを利用して特定され、
前記ダウンリンク制御情報を伝送する制御チャネル資源を決定する段階で、前記全体ＰＲＢ集合に対する情報、前記端末機別ＰＲＢ集合に対する情報及び前記端末機別ＰＲＢ集合に属する一部の資源に対する情報のうち少なくとも１つを、システム情報（Ｓｙｓｔｅｍ  Ｉｎｆｏｒｍａｔｉｏｎ）放送、ＲＲＣ（Ｒａｄｉｏ  Ｒｅｓｏｕｒｃｅ  Ｃｏｎｔｒｏｌ）シグナリング及びダウンリンク物理制御チャネル（ＰＤＣＣＨ）のうち少なくとも１つを利用して端末に伝送し、
前記全体ＰＲＢ集合に対する情報、前記端末機別ＰＲＢ集合に対する情報及び前記端末機別ＰＲＢ集合に属する資源（ｅＣＣＥ）に対する情報のうち少なくとも１つが前記ダウンリンク物理制御チャネル（ＰＤＣＣＨ）を利用して端末に伝送される場合、前記ダウンリンク物理制御チャネル（ＰＤＣＣＨ）は、前記端末機の端末機別ＰＤＣＣＨサーチスペース（ｓｅａｒｃｈ  ｓｐａｃｅ）に伝送される、ダウンリンク制御情報伝送方法。
【請求項３】
制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）領域とデータチャネル（ＰＤＳＣＨ：Ｐｈｙｓｉｃａｌ  Ｄｏｗｎｌｉｎｋ  Ｓｈａｒｅｄ  Ｃｈａｎｎｅｌ）領域が分離した移動通信システムで、端末が基地局からダウンリンク制御情報を受信する方法であって、
前記データチャネル領域を通じてダウンリンク制御情報を受信するダウンリンク制御チャネル（ｅＰＤＣＣＨ：ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）資源を決定する段階と；
前記ダウンリンク制御情報を前記決定された制御チャネル資源を利用して前記基地局から受信する段階と；を含み、
前記ダウンリンク制御情報を受信する制御チャネル資源を決定する段階で、前記制御チャネル資源は、前記データチャネル領域内でダウンリンク制御チャネル（ｅＰＤＣＣＨ）が受信される全体ＰＲＢ集合に対する情報、前記全体ＰＲＢ集合のうち前記ダウンリンク制御チャネル（ｅＰＤＣＣＨ）が受信される端末機別ＰＲＢ集合に対する情報及び前記端末機別ＰＲＢ集合に属する資源（ｅＣＣＥ：ｅｎｈａｎｃｅｄ  Ｃｏｎｔｒｏｌ  Ｃｈａｎｎｅｌ  Ｅｌｅｍｅｎｔ）に対する情報のうち少なくとも１つを利用して特定され、
前記ダウンリンク制御情報を受信する制御チャネル資源を決定する段階で、前記全体ＰＲＢ集合、前記端末機別ＰＲＢ集合及び前記端末機別ＰＲＢ集合に属する資源（ｅＣＣＥ）のうち少なくとも１つは、前記端末の固有識別子及び前記ダウンリンク制御チャネルが伝送されるスロット番号のうち少なくとも１つを利用して決定するように構成される、
ダウンリンク制御情報受信方法。
【請求項４】
制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）領域とデータチャネル（ＰＤＳＣＨ：Ｐｈｙｓｉｃａｌ  Ｄｏｗｎｌｉｎｋ  Ｓｈａｒｅｄ  Ｃｈａｎｎｅｌ）領域が分離した移動通信システムで、端末が基地局からダウンリンク制御情報を受信する方法であって、
前記データチャネル領域を通じてダウンリンク制御情報を受信するダウンリンク制御チャネル（ｅＰＤＣＣＨ：ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）資源を決定する段階と；
前記ダウンリンク制御情報を前記決定された制御チャネル資源を利用して前記基地局から受信する段階と；を含み、
前記ダウンリンク制御情報を受信する制御チャネル資源を決定する段階で、前記制御チャネル資源は、前記データチャネル領域内でダウンリンク制御チャネル（ｅＰＤＣＣＨ）が受信される全体ＰＲＢ集合に対する情報、前記全体ＰＲＢ集合のうち前記ダウンリンク制御チャネル（ｅＰＤＣＣＨ）が受信される端末機別ＰＲＢ集合に対する情報及び前記端末機別ＰＲＢ集合に属する資源（ｅＣＣＥ：ｅｎｈａｎｃｅｄ  Ｃｏｎｔｒｏｌ  Ｃｈａｎｎｅｌ  Ｅｌｅｍｅｎｔ）に対する情報のうち少なくとも１つを利用して特定され、
前記ダウンリンク制御情報を受信する制御チャネル資源を決定する段階で、前記全体ＰＲＢ集合に対する情報、前記端末機別ＰＲＢ集合に対する情報及び前記端末機別ＰＲＢ集合に属する一部の資源に対する情報のうち少なくとも１つを、システム情報（Ｓｙｓｔｅｍ  Ｉｎｆｏｒｍａｔｉｏｎ）放送、ＲＲＣ（Ｒａｄｉｏ  Ｒｅｓｏｕｒｃｅ  Ｃｏｎｔｒｏｌ）シグナリング及びダウンリンク物理制御チャネル（ＰＤＣＣＨ）のうち少なくとも１つを利用して基地局から受信し、
前記全体ＰＲＢ集合に対する情報、前記端末機別ＰＲＢ集合に対する情報及び前記端末機別ＰＲＢ集合に属する資源（ｅＣＣＥ）に対する情報のうち少なくとも１つが前記ダウンリンク物理制御チャネル（ＰＤＣＣＨ）を利用して基地局から受信される場合、前記ダウンリンク物理制御チャネル（ＰＤＣＣＨ）は、前記端末機の端末機別ＰＤＣＣＨサーチスペース（ｓｅａｒｃｈ  ｓｐａｃｅ）に受信される、ダウンリンク制御情報受信方法。
【請求項５】
移動通信システムにおいて基地局が端末にダウンリンク制御情報を伝送する方法であって、
データチャネル（ＰＤＳＣＨ：Ｐｈｙｓｉｃａｌ  Ｄｏｗｎｌｉｎｋ  Ｓｈａｒｅｄ  Ｃｈａｎｎｅｌ）領域を通じて前記ダウンリンク制御情報を伝送するためのダウンリンク制御チャネル（ｅＰＤＣＣＨ：ｅｎｈａｎｃｅｄ  Ｐｈｙｓｉｃａｌ  Ｄｏｗｎｌｉｎｋ  ＣｏｎｔｒｏｌＣｈａｎｎｅｌ）資源に関する情報を前記端末に伝送する段階と；
前記ダウンリンク制御チャネル（ｅＰＤＣＣＨ）資源に関する情報に基づいて前記ダウンリンク制御チャネル（ｅＰＤＣＣＨ）資源の少なくとも一部を利用して前記端末に前記ダウンリンク制御チャネル（ｅＰＤＣＣＨ）を伝送する段階と；を含み、
前記ダウンリンク制御チャネル（ｅＰＤＣＣＨ）資源に関する情報は、前記ダウンリンク制御チャネル（ｅＰＤＣＣＨ）を通じて伝送される物理資源ブロック（ＰＲＢ：Ｐｈｙｓｉｃａｌ  Ｒｅｓｏｕｒｃｅ  Ｂｌｏｃｋ）の集合に関する情報を含み、
前記端末のダウンリンク制御チャネル（ｅＰＤＣＣＨ）を通じて伝送される物理資源ブロック（ＰＲＢ）は、前記端末の識別子、および無線フレームのスロットのスロット番号のうち少なくともいずれか一つに基づいて、前記物理資源ブロック（ＰＲＢ）の集合内で決定され、前記無線フレームは前記端末のダウンリンク制御チャネル（ｅＰＤＣＣＨ）を通じて伝送される、ダウンリンク制御情報伝送方法。
【請求項６】
移動通信システムにおいて端末が基地局からダウンリンク制御情報を受信する方法であって、
データチャネル（ＰＤＳＣＨ：Ｐｈｙｓｉｃａｌ  Ｄｏｗｎｌｉｎｋ  Ｓｈａｒｅｄ  Ｃｈａｎｎｅｌ）領域を通じて前記ダウンリンク制御情報を受信するためのダウンリンク制御チャネル（ｅＰＤＣＣＨ：ｅｎｈａｎｃｅｄ  Ｐｈｙｓｉｃａｌ  Ｄｏｗｎｌｉｎｋ  ＣｏｎｔｒｏｌＣｈａｎｎｅｌ）資源に関する情報を前記基地局から受信する段階と；
前記ダウンリンク制御チャネル（ｅＰＤＣＣＨ）資源に関する情報に基づいて前記ダウンリンク制御チャネル（ｅＰＤＣＣＨ）資源の少なくとも一部を利用して前記基地局から前記ダウンリンク制御チャネル（ｅＰＤＣＣＨ）を受信する段階と；を含み、
前記ダウンリンク制御チャネル（ｅＰＤＣＣＨ）資源に関する情報は、前記ダウンリンク制御チャネル（ｅＰＤＣＣＨ）を通じて受信される物理資源ブロック（ＰＲＢ：Ｐｈｙｓｉｃａｌ  Ｒｅｓｏｕｒｃｅ  Ｂｌｏｃｋ）の集合に関する情報を含み、
前記端末のダウンリンク制御チャネル（ｅＰＤＣＣＨ）を通じて受信される物理資源ブロック（ＰＲＢ）は、前記端末の識別子、および無線フレームのスロットのスロット番号のうち少なくともいずれか一つに基づいて、前記物理資源ブロック（ＰＲＢ）の集合内で決定され、前記無線フレームは前記端末のダウンリンク制御チャネル（ｅＰＤＣＣＨ）を通じて受信される、ダウンリンク制御情報受信方法。
【発明の詳細な説明】
【技術分野】
【０００１】
本発明は、移動通信システムに関し、より詳細には、移動通信システムのアップまたはダウンリンクスケージュリング情報などを伝送するための制御情報（ｃｏｎｔｒｏｌ  ｉｎｆｏｒｍａｔｉｏｎ）の伝送及び受信方法に関する。
【背景技術】
【０００２】
従来、３ＧＰＰ  ＬＴＥなどのセルラ移動通信システムでは、ダウンリンク制御情報が伝送される領域に時間−周波数資源をあらかじめ割り当てて、ダウンリンク制御チャネルとして伝送する方式を取っている。すなわち、従来、ＬＴＥなどのセルラ移動通信システムでは、各副フレームの前方１〜３個ＯＦＤＭシンボルのみを利用する制御チャネル伝送領域にのみ制御情報を伝送する方式を取っている。
【０００３】
しかし、今後異種ネットワーク（Ｈｅｔｅｒｏｇｅｎｅｏｕｓ  ｎｅｔｗｏｒｋ）環境での多重ユーザＭＩＭＯ（ＭＵ−ＭＩＭＯ）、キャリア集積（Ｃａｒｒｉｅｒ  Ａｇｇｒｅｇａｔｉｏｎ）を利用した異種ネットワーク干渉制御、ＭＢＳＦＮ副フレームの頻繁な使用、多重ポイント協力（Ｃｏｏｒｄｉｎａｔｅｄ  Ｍｕｌｔｉｐｏｉｎｔ：ＣｏＭＰ）伝送及び受信技法などの理由によってさらに多い制御チャネル容量が要求されている。
【０００４】
したがって、さらに多い制御チャネル容量に対する要求事項を満たすことができる新しい制御チャネルの設計が要求される。
【発明の概要】
【発明が解決しようとする課題】
【０００５】
本発明の目的は、移動通信システムで増大される制御情報の要求容量を満たすことができるダウンリンク制御情報を伝送する方法を提供することにある。
【０００６】
本発明の他の目的は、移動通信システムで増大される制御情報の要求容量を満たすことができるダウンリンク制御情報を受信する方法を提供することにある。
【課題を解決するための手段】
【０００７】
前述した本発明の目的を達成するための本発明の一態様によるダウンリンク制御情報伝送方法は、制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）領域とデータチャネル（ＰＤＳＣＨ：Ｐｈｙｓｉｃａｌ  Ｄｏｗｎｌｉｎｋ  Ｓｈａｒｅｄ  Ｃｈａｎｎｅｌ）領域が分離した移動通信システムで、基地局が端末にダウンリンク制御情報を伝送する方法であって、ダウンリンク制御情報を生成する段階と、前記データチャネル領域を通じて前記ダウンリンク制御情報を伝送するダウンリンク制御チャネル（ｅＰＤＣＣＨ：ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）資源を決定する段階と、前記生成されたダウンリンク制御情報を前記決定された制御チャネル資源を利用して前記端末に伝送する段階とを含んで構成されることができる。
【０００８】
ここで、前記制御チャネルは、副フレームの第１スロット及び第２スロットのうちいずれか１つのスロットまたは前記副フレームの第１スロットと第２スロットの両方を利用して伝送されることができる。
【０００９】
ここで、前記ダウンリンク制御情報を伝送する制御チャネル資源を決定する段階で、前記制御チャネル資源は、前記データチャネル領域内でダウンリンク制御チャネル（ｅＰＤＣＣＨ）が伝送される全体ＰＲＢ集合に対する情報、前記全体ＰＲＢ集合のうち前記ダウンリンク制御チャネル（ｅＰＤＣＣＨ）が伝送される端末機別ＰＲＢ集合に対する情報及び前記端末機別ＰＲＢ集合に属する資源（ｅＣＣＥ：ｅｎｈａｎｃｅｄ  Ｃｏｎｔｒｏｌ  Ｃｈａｎｎｅｌ  Ｅｌｅｍｅｎｔ）に対する情報のうち少なくとも１つを利用して特定されることができる。
【００１０】
この際、前記ダウンリンク制御情報を伝送する制御チャネル資源を決定する段階で特定された前記全体ＰＲＢ集合及び前記端末機別ＰＲＢ集合のうち少なくとも１つは、前記端末の端末機別ｅＰＤＣＣＨサーチスペースになるように構成されることができる。
【００１１】
この際、前記ダウンリンク制御情報を伝送する制御チャネル資源を決定する段階で、前記全体ＰＲＢ集合、前記端末機別ＰＲＢ集合及び前記端末機別ＰＲＢ集合に属する資源（ｅＣＣＥ）のうち少なくとも１つは、前記端末の固有識別子及び前記ダウンリンク制御チャネルが伝送されるスロット番号のうち少なくとも１つを利用して決定するように構成されることができる。
【００１２】
この際、前記ダウンリンク制御情報を伝送する制御チャネル資源を決定する段階で、前記全体ＰＲＢ集合に対する情報、前記端末機別ＰＲＢ集合に対する情報及び前記端末機別ＰＲＢ集合に属する一部の資源に対する情報のうち少なくとも１つを、システム情報（Ｓｙｓｔｅｍ  Ｉｎｆｏｒｍａｔｉｏｎ）放送、ＲＲＣ（Ｒａｄｉｏ  Ｒｅｓｏｕｒｃｅ  Ｃｏｎｔｒｏｌ）シグナリング及びダウンリンク物理制御チャネル（ＰＤＣＣＨ）のうち少なくとも１つを利用して端末に伝送するように構成されることができる。
【００１３】
この際、前記全体ＰＲＢ集合に対する情報、前記端末機別ＰＲＢ集合に対する情報及び前記端末機別ＰＲＢ集合に属する資源（ｅＣＣＥ）に対する情報のうち少なくとも１つが前記ダウンリンク物理制御チャネル（ＰＤＣＣＨ）を利用して端末に伝送される場合、前記ダウンリンク物理制御チャネル（ＰＤＣＣＨ）は、前記端末機の端末機別ＰＤＣＣＨサーチスペース（ｓｅａｒｃｈ  ｓｐａｃｅ）に伝送されることができる。
【００１４】
ここで、前記ダウンリンク制御情報に基づいてスケージュリングされて伝送されたデータ伝送チャネルに対するＡＣＫ／ＮＡＣＫ情報を含むアップリンク制御情報は、前記ダウンリンク制御情報が伝送されたＰＲＢに付与された番号、前記ダウンリンク制御情報が伝送されたＰＲＢ内の一部の資源（ｅＣＣＥ）に付与された番号及び前記ダウンリンク制御情報が伝送されたアンテナポート番号のうち少なくとも１つによって決定されたアップリンク制御チャネル（ＰＵＳＣＨ：Ｐｈｙｓｉｃａｌ  Ｕｐｌｉｎｋ  Ｃｏｎｔｒｏｌ  Ｃｈａｎｎｅｌ）資源を利用して受信されることができる。
【００１５】
この際、前記アップリンク制御チャネル資源は、前記ダウンリンク制御情報が伝送された一部の資源（ｅＣＣＥ）のうち最も低い番号を有する一部の資源の番号を利用して決定されることができる。
【００１６】
前述した本発明の他の目的を達成するための本発明の一態様によるダウンリンク制御情報受信方法は、制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）領域とデータチャネル（ＰＤＳＣＨ：Ｐｈｙｓｉｃａｌ  Ｄｏｗｎｌｉｎｋ  Ｓｈａｒｅｄ  Ｃｈａｎｎｅｌ）領域が分離した移動通信システムで、端末が基地局からダウンリンク制御情報を受信する方法であって、前記データチャネル領域を通じてダウンリンク制御情報を受信するダウンリンク制御チャネル（ｅＰＤＣＣＨ：ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）資源を決定する段階と、前記ダウンリンク制御情報を前記決定された制御チャネル資源を利用して前記基地局から受信する段階とを含んで構成されることができる。
【発明の効果】
【００１７】
本発明による制御情報伝送及び受信方法を利用する場合、増加される制御情報の要求容量を満たすことができ、これにより、全体的な移動通信システムの性能を改善させることができる。
【００１８】
また、異種ネットワーク環境の多重ユーザＭＩＭＯ、キャリア集積を利用した異種ネットワーク干渉制御、ＭＢＳＦＮ副フレームの頻繁な使用、ＣｏＭＰ伝送制御による増大される制御情報の要求容量を満たすことができ、従来、ダウンリンク制御情報とは異なって制御情報の要求容量によって適応的な資源割り当てが可能で、効率的な資源の活用が可能になる。
【図面の簡単な説明】
【００１９】
【図１】図１は、制御チャネル伝送領域とデータチャネル伝送領域が区分される副フレーム構造を説明するための概念図である。
【図２】図２は、本発明によるダウンリンク制御チャネルの構成を説明するための概念図である。
【図３】図３〜図５は、本発明によるダウンリンク制御チャネルの伝送方法でダウンリンク制御チャネル伝送資源のマッピング方法を説明するための概念図である。
【図４】図３〜図５は、本発明によるダウンリンク制御チャネルの伝送方法でダウンリンク制御チャネル伝送資源のマッピング方法を説明するための概念図である。
【図５】図３〜図５は、本発明によるダウンリンク制御チャネルの伝送方法でダウンリンク制御チャネル伝送資源のマッピング方法を説明するための概念図である。
【図６】図６は、本発明によるｅＰＤＣＣＨを指定するために新しく定義された新しいフォーマットを有するＤＣＩの伝送位置とｅＰＤＣＣＨの概念を説明するための概念図である。
【発明を実施するための形態】
【００２０】
本発明は、多様な変更を行うことができ、さまざまな実施例を有することができるところ、特定の実施例を図面に例示し、詳細に説明する。
しかし、これは、本発明を特定の実施形態に限定しようとするものではなく、本発明の思想及び技術範囲に含まれるすべての変更、均等物ないし代替物を含むものと理解しなければならない。
【００２１】
本出願で使用された用語は、ただ特定の実施例を説明するために使用されたものであって、本発明を限定しようとする意図ではない。単数の表現は、文脈上、明白に異なって意味しない限り、複数の表現を含む。本出願で、“含む”または“有する”などの用語は、明細書上に記載された特徴、数字、段階、動作、構成要素、部品またはこれらを組み合わせたものが存在することを指定しようとするものであって、１つまたはそれ以上の他の特徴や数字、段階、動作、構成要素、部品またはこれらを組み合わせたものの存在または付加可能性をあらかじめ排除しないものと理解しなければならない。
【００２２】
異なって定義しない限り、技術的や科学的な用語を含んでここで使用されるすべての用語は、本発明の属する技術分野における通常の知識を有する者によって一般的に理解されるものと同一の意味を有している。一般的に使用される事前に定義されているもののような用語は、関連技術の文脈上有する意味と一致する意味を有するものと解釈しなければならないし、本出願で明白に定義しない限り、理想的または過度に形式的な意味として解釈しない。
【００２３】
本出願で使用する「端末」は、移動局（ＭＳ）、ユーザ装備（ＵＥ；Ｕｓｅｒ  Ｅｑｕｉｐｍｅｎｔ）、ユーザターミナル（ＵＴ；Ｕｓｅｒ  Ｔｅｒｍｉｎａｌ）、無線ターミナル、アクセスターミナル（ＡＴ）、ターミナル、加入者ユニット（Ｓｕｂｓｃｒｉｂｅｒ  Ｕｎｉｔ）、加入者スチーション（ＳＳ；Ｓｕｂｓｃｒｉｂｅｒ  Ｓｔａｔｉｏｎ）、無線機器（ｗｉｒｅｌｅｓｓ  ｄｅｖｉｃｅ）、無線通信デバイス、無線送受信ユニット（ＷＴＲＵ；Ｗｉｒｅｌｅｓｓ  Ｔｒａｎｓｍｉｔ／Ｒｅｃｅｉｖｅ  Ｕｎｉｔ）、移動ノード、モバイルまたは他の用語として指称されることができる。端末の多様な実施例は、セルラ電話機、無線通信機能を有するスマートフォン、無線通信機能を有する個人携帯用端末機（ＰＤＡ）、無線モデム、無線通信機能を有する携帯用コンピュータ、無線通信機能を有するデジタルカメラのような撮影装置、無線通信機能を有するゲーミング装置、無線通信機能を有する音楽格納及び再生家電製品、無線インターネット接続及びブラウジングが可能なインターネット家電製品だけでなく、そのような機能の組合を統合している携帯型ユニットまたは端末機を含むことができるが、これに限定されるものではない。
【００２４】
本出願で使用する「基地局」は、一般的に端末と通信する固定されるかまたは移動する地点を言い、ベースステーション（ｂａｓｅ  ｓｔａｔｉｏｎ）、ノード−Ｂ（Ｎｏｄｅ−Ｂ）、ｅノード−Ｂ（ｅＮｏｄｅ−Ｂ）、ＢＴＳ（ｂａｓｅ  ｔｒａｎｓｃｅｉｖｅｒ  ｓｙｓｔｅｍ）、アクセスポイント（ａｃｃｅｓｓ  ｐｏｉｎｔ）、リレー（ｒｅｌａｙ）及びフェムトセル（ｆｅｍｔｏ−ｃｅｌｌ）などを総称する用語であることができる。
【００２５】
以下、添付の図面を参照して、本発明の好ましい実施例をさらに詳細に説明する。本発明を説明するに際して、全体的な理解を容易にするために、図面上の同一の構成要素に対しては同一の参照符号を使用して同一の構成要素について重複した説明を省略する。
【００２６】
以下では、説明の便宜上、３ＧＰＰ  ＬＴＥまたは３ＧＰＰ  ＬＴＥ−Ａｄｖａｎｃｅｄで使用するシステム及び用語を利用して記述するが、本発明で提案する内容がこのシステムに限定されるものではない。すなわち、３ＧＰＰ  ＬＴＥまたはＬＴＥ−Ａｄｖａｎｃｅｄシステムは、本発明が適用される１つの例を示すものである。説明の便宜上、システムでダウンリンク物理制御チャネルをＰＤＣＣＨ（Ｐｈｙｓｉｃａｌ  Ｄｏｗｎｌｉｎｋ  Ｃｏｎｔｒｏｌ  Ｃｈａｎｎｅｌ）で簡単に表示し、ダウンリンク物理データチャネルをＰＤＳＣＨ（Ｐｈｙｓｉｃａｌ  Ｄｏｗｎｌｉｎｋ  Ｄａｔａ  Ｃｈａｎｎｅｌ）で簡単に表示する。
【００２７】
図１は、制御チャネル伝送領域とデータチャネル伝送領域が区分される副フレーム（ｓｕｂｆｒａｍｅ）構造を説明するための概念図である。
【００２８】
図１は、３ＧＰＰ  ＬＴＥ  Ｒｅｌｅａｓｅ  ８、９または３ＧＰＰ  ＬＴＥ−Ａｄｖａｎｃｅｄ  Ｒｅｌｅａｓｅ  １０規格で定義している、ダウンリンク制御情報が伝送されるダウンリンク物理制御チャネル（ＰＤＣＣＨ）の伝送領域と、端末に対するデータが伝送されるダウンリンク物理データチャネル（ＰＤＳＣＨ）の伝送領域を示す。
【００２９】
図１を参照すれば、１つの副フレーム１００内でダウンリンク物理制御チャネル（ＰＤＣＣＨ）が伝送される領域１１０とダウンリンク物理データチャネル（ＰＤＳＣＨ）が伝送される領域１２０が時間的に区分されており、ダウンリンク物理制御チャネル（ＰＤＣＣＨ）が伝送される領域は、各副フレーム（ｓｕｂｆｒａｍｅ）の初めて１個、２個、または３個のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル区間で構成されることができる。
【００３０】
しかし、異種ネットワーク（Ｈｅｔｅｒｏｇｅｎｅｏｕｓ  ｎｅｔｗｏｒｋ）環境での多重ユーザＭＩＭＯ（ＭＵ−ＭＩＭＯ）、キャリア集積（Ｃａｒｒｉｅｒ  Ａｇｇｒｅｇａｔｉｏｎ）を利用した異種ネットワーク干渉制御、ＭＢＳＦＮ（Ｍｕｌｔｉｃａｓｔ  Ｂｒｏａｄｃａｓｔ  Ｓｉｎｇｌｅ  Ｆｒｅｑｕｅｎｃｙ  Ｎｅｔｗｏｒｋ）副フレームの頻繁な使用、多重ポイント協力（Ｃｏｏｒｄｉｎａｔｅｄ  Ｍｕｌｔｉｐｏｉｎｔ：ＣｏＭＰ）伝送及び受信技法などのような理由に起因して今後さらに多い制御情報が必要であると予想される。
【００３１】
したがって、各副フレームの前方１〜３個ＯＦＤＭシンボルのみを利用する制御チャネル伝送領域にのみ制御情報を伝送する方法の代わりに、増加される制御情報の量を満たすことができる追加的な制御チャネルの伝送方法が必要である。
【００３２】
本発明によるダウンリンク制御チャネルの伝送及び受信方法
本発明によるダウンリンク制御チャネルの伝送方法は、基地局が端末に伝達すべきダウンリンク制御情報を生成し、生成されたダウンリンク制御情報を伝送すべきダウンリンク制御チャネルの資源を決定し、決定された制御チャネル資源を利用して端末に制御情報を伝送することを構成とする。
【００３３】
一方、以下の説明は、端末にダウンリンク制御情報を伝送する方法を基地局の観点で記述しているが、端末の観点でダウンリンク制御情報を受信する方法も一緒に説明されることができる。
【００３４】
まず、基地局は、端末機に伝達されるアップリンクグラント情報、アップリンクスケージュリング情報、ダウンリンク資源割り当て情報及びスケージュリング情報を含むダウンリンク制御情報を生成する。
【００３５】
以下では、本発明で生成されたダウンリンク制御情報を伝送するダウンリンク制御チャネルを決定する過程と決定された制御チャネル資源を利用して端末に制御情報を伝送する過程が記述される。
【００３６】
本発明は、生成されたダウンリンク制御情報を伝送するための物理チャネルの個数を増加させるか、または性能を改善させるために、３ＧＰＰ  ＬＴＥ規格またはＬＴＥ−Ａｄｖａｎｃｅｄ規格（３ＧＰＰ  ＬＴＥ  Ｒｅｌｅａｓｅ  ８、９、１０）でＰＤＳＣＨを伝送するために使用したデータチャネル伝送領域１２０にも追加的に制御チャネルを伝送することができるようにすることを特徴とする。
【００３７】
図２は、本発明によるダウンリンク制御チャネルの構成を説明するための概念図である。
図２を参照すれば、従来のダウンリンク物理制御チャネル（ＰＤＣＣＨ）１１０と区分するために、本発明で提案する制御チャネルをｅＰＤＣＣＨ（ｅｎｈａｎｃｅｄ  ＰＤＣＣＨ）１３０と命名される。
【００３８】
この際、ｅＰＤＣＣＨで伝送される物理資源ブロック（Ｐｈｙｓｉｃａｌ  Ｒｅｓｏｕｒｃｅ  Ｂｌｏｃｋ：ＰＲＢ）にＤＭ−ＲＳ（Ｄｅｍｏｄｕｌａｔｉｏｎ  Ｒｅｆｅｒｅｎｃｅ  Ｓｉｇｎａｌ）が伝送される場合には、基地局は、ＤＭ−ＲＳに適用されたものと同一のプリコーディングをｅＰＤＣＣＨに適用するように構成されることもできる。従来ＰＤＣＣＨの場合は、ＣＲＳ（Ｃｅｌｌ−ｓｐｅｃｉｆｉｃ  ＲＳ）を利用してデコーディングされるように設計される一方で、ｅＰＤＣＣＨの場合は、ｅＰＤＣＣＨが伝送されるＰＲＢに存在するＤＭ−ＲＳ（Ｄｅｍｏｄｕｌａｔｉｏｎ  ＲＳ）によってデコーディングされるように設計されることができる。
【００３９】
ｅＰＤＣＣＨを通じて伝送されるダウンリンク制御情報は、従来のＬＴＥ（３ＧＰＰ  ｒｅｌｅａｓｅ  ８〜１０）で規定したダウンリンク制御情報（ＤＣＩ：Ｄｏｗｎｌｉｎｋ  Ｃｏｎｔｒｏｌ  Ｉｎｆｏｒｍａｔｉｏｎ）と同一のフォーマットを利用して構成されることができる。または、ｅＰＤＣＣＨを通じて伝送されるダウンリンク制御情報のために新しいＤＣＩフォーマットを定義し、新しく定義されたＤＣＩフォーマットを利用してダウンリンク制御情報が伝送されるように構成されることもできる。
【００４０】
また、１つのｅＰＤＣＣＨは、１つの送信アンテナポートだけを通じて伝送されるように設計することもでき、または複数の送信アンテナポートを利用して伝送が可能になるように設計することもできる。送信アンテナポート番号は、いつも固定されたポート番号を使用するように設計することもでき、または複数個の可能な送信アンテナポートのうち１つまたは複数のポートを選択して使用するように設計することもできる。この際、ポート番号は、ｅＰＤＣＣＨが伝送される時間、周波数資源の位置に対する情報と追加的な情報（Ｃ−ＲＮＴＩなどの端末の識別子情報またはＲＲＣシグナリング情報）を利用して決定することができる。
【００４１】
ｅＰＤＣＣＨがダウンリンク割り当て情報（Ｄｏｗｎｌｉｎｋ  ａｓｓｉｇｎｍｅｎｔ）を含んでいる場合（ダウンリンク割り当て情報に対する１つの例は、ＰＤＳＣＨに対するスケジューリング情報になることができる）に、ｅＰＤＣＣＨを周波数−時間資源（Ｒｅｓｏｕｒｃｅ  Ｅｌｅｍｅｎｔ：ＲＥ）にマッピングするために下記の方法１〜方法３のような方法の使用が可能であることができる。
【００４２】
図３〜図５は、本発明によるダウンリンク制御チャネルの伝送方法でダウンリンク制御チャネル伝送資源のマッピング方法を説明するための概念図である。
【００４３】
具体的に、図３は、各副フレームの一番目スロット１０１にのみｅＰＤＣＣＨ  １３１をマッピングする（方法１）、図４は、各副フレームの一番目スロット１０１と二番目スロット１０２の両方にｅＰＤＣＣＨ  １３２をマッピングする（方法２）、図５は、各副フレームの二番目スロット１０２にのみｅＰＤＣＣＨ  １３３をマッピングする（方法３）を例示している。
【００４４】
（方法１）の場合に、各副フレームの一番目スロットだけでｅＰＤＣＣＨがマッピングされれば、一番目スロットでｅＰＤＣＣＨがマッピングされた周波数で二番目スロットではＰＤＳＣＨがマッピングされることができる。（方法３）の場合は、（方法１）の場合とは反対に、各副フレームの二番目スロットだけでｅＰＤＣＣＨがマッピングされれば、二番目スロットでｅＰＤＣＣＨがマッピングされた周波数で一番目スロットではＰＤＳＣＨがマッピングされることができる。
【００４５】
ｅＰＤＣＣＨがアップリンクグラント（Ｕｐｌｉｎｋ  ｇｒａｎｔ）またはアップリンク割り当て情報を含んでいる場合（アップリンクグラントまたはアップリンク割り当て情報に対する１つの例は、ＰＵＳＣＨに対するスケジューリング情報になることができる）に、ｅＰＤＣＣＨを周波数−時間資源（Ｒｅｓｏｕｒｃｅ  Ｅｌｅｍｅｎｔ：ＲＥ）にマッピングするために、前記（方法１）〜（方法３）のような方法の使用が可能であることができる。
【００４６】
一方、ｅＰＤＣＣＨがダウンリンク割り当て情報またはＰＤＳＣＨスケージュリング情報を含んでいる場合は、（方法１）を採択し、ｅＰＤＣＣＨがアップリンクグラントまたはアップリンク割り当て情報を含んでいる場合は、（方法３）を採択するように構成されることもできる。反対に、ｅＰＤＣＣＨがダウンリンク割り当て情報を含んでいる場合は、（方法３）を採択し、ｅＰＤＣＣＨがアップリンクグラントまたはアップリンク割り当て情報を含んでいる場合は、（方法１）を採択するように構成されることもできる。
【００４７】
一方、各ＰＲＢ（Ｐｈｙｓｉｃａｌ  Ｒｅｓｏｕｒｃｅ  Ｂｌｏｃｋ）内にただ１つの端末機に対するｅＰＤＣＣＨの一部または全部が伝送され得るようにｅＰＤＣＣＨを設計することもでき、各ＰＲＢ内に複数の端末機に対するｅＰＤＣＣＨの一部または全部が伝送され得るようにｅＰＤＣＣＨを設計することもできる。
【００４８】
各ＰＲＢ内にただ１つの端末機に対するｅＰＤＣＣＨの一部または全部が伝送されることができるようにｅＰＤＣＣＨを設計する方式を「１つのＰＲＢ内に１つの端末に対するｅＰＤＣＣＨだけが伝送される方式」と命名し、各ＰＲＢ内に複数の端末機に対するｅＰＤＣＣＨの一部または全部が伝送され得るようにｅＰＤＣＣＨを設計する方式を「１つのＰＲＢ内に２つ以上の端末に対するｅＰＤＣＣＨが伝送される方式」と命名する。
【００４９】
この際、「１つのＰＲＢ内に１つの端末に対するｅＰＤＣＣＨだけが伝送される方式」と「１つのＰＲＢ内に２つ以上の端末に対するｅＰＤＣＣＨが伝送される方式」の両方でｅＰＤＣＣＨを伝送するために使用されることができるＰＲＢ（以下、「ｅＰＲＢ」と言う）の集合に対する情報は、基地局と端末機相互間にあらかじめ定められた規則に従うか、基地局が端末に通知する方式（すなわち、シグナリング）で基地局と端末相互間に共有が必要である。
【００５０】
さらに図３〜図５を参照すれば、基地局がセル内に属するすべての端末機にｅＰＤＣＣＨを伝送するために使用されることができるすべてのＰＲＢの集合を「全体ｅＰＤＣＣＨ伝送可能ｅＰＲＢ集合」と言う。この際、任意のＰＲＢが「全体ｅＰＤＣＣＨ伝送可能ｅＰＲＢ集合」に属する場合には、そのＰＲＢをｅＰＲＢ（ｅｎｈａｎｃｅｄ  Ｐｈｙｓｉｃａｌ  Ｒｅｓｏｕｒｃｅ  Ｂｌｏｃｋ）と命名する。
【００５１】
このような、「全体ｅＰＤＣＣＨ伝送可能ｅＰＲＢ集合」に対する情報は、基地局が上位レイヤを通じて端末機に通知するように構成されることができる。上位レイヤに対する１つの例は、ＲＲＣ（Ｒａｄｉｏ  Ｒｅｓｏｕｒｃｅ  Ｃｏｎｔｒｏｌ）シグナリングになることができる。または、全体ＰＲＢ集合に対する情報は、基地局がシステム情報（ＳＩ：ＳｙｓｔｅｍＩｎｆｏｒｍａｔｉｏｎ）として全体端末機に放送して伝達することもできる。または、新しいＤＣＩ（Ｄｏｗｎｌｉｎｋ  Ｃｏｎｔｒｏｌ  Ｉｎｆｏｒｍａｔｉｏｎ）フォーマットを設計し、このＤＣＩ内に全体ＰＲＢ集合に対する情報を含ませて、ＰＤＣＣＨを通じて伝送するように構成されることもできる。このようなシグナリング方法については、後述する。
【００５２】
１）１つのＰＲＢ内に２つ以上の端末に対するｅＰＤＣＣＨが伝送される方式
この場合には、各端末機に対するｅＰＤＣＣＨを向上した制御チャネル元素（以下、「ｅＣＣＥ」と言う、ｅＣＣＥ：ｅｎｈａｎｃｅｄ  Ｃｏｎｔｒｏｌ  Ｃｈａｎｎｅｌ  Ｅｌｅｍｅｎｔ）単位でそれぞれの資源にマッピングすることができる。ここで、ｅＣＣＥは、Ｌ個の時間−周波数資源（ＲＥ：Ｒｅｓｏｕｒｃｅ  Ｅｌｅｍｅｎｔ）に該当し、Ｌ個の時間−周波数資源は、「全体ｅＰＤＣＣＨ伝送可能ｅＰＲＢ集合」に属する時間−周波数資源で構成される。
【００５３】
この際、Ｌに対する代表的な例は、３６付近の値になることができる。ｅＣＣＥとＣＣＥの差異点のうち１つは、ＣＣＥは、既存システムでＰＤＣＣＨが伝送されることができる領域に存在する資源で構成されるが、ｅＣＣＥは、ｅＰＤＣＣＨが伝送されることができる領域に存在する資源で構成されるという点である。任意の端末機に対するｅＰＤＣＣＨが実際に伝送される場合に、前記端末機に対する制御情報は、１個、２個、４個、または８個のｅＣＣＥにマッピングされることができる。
【００５４】
ｋ番目の副フレームでｅＰＤＣＣＨが伝送されることができる資源領域（ｅＰＤＣＣＨを伝送するために使用されることができるＰＲＢ内の資源領域）内に存在する全体ｅＣＣＥの個数をＮｅＣＣＥ、Ｋと言い、このｅＣＣＥは、０番から（ＮｅＣＣＥ、Ｋ−１）番まで番号が付与されることができる。
【００５５】
この際、ｅＰＤＣＣＨが伝送されることができる資源領域内の全体ｅＣＣＥのうち各端末機のｅＰＤＣＣＨがマッピングされることができるｅＣＣＥの位置は、暗示的（ｉｍｐｌｉｃｉｔ）方法または明示的（ｅｘｐｌｉｃｉｔ）方法で各端末機別に決定されることができる。
【００５６】
例えば、暗示的方法の例としては、各端末機に対するｅＰＤＣＣＨがマッピングされることができるｅＣＣＥ位置は、各端末機に対するＲＮＴＩ（Ｒａｄｉｏ  Ｎｅｔｗｏｒｋ  Ｔｅｍｐｏｒａｒｙ  Ｉｄｅｎｔｉｆｉｅｒ）値によって決定されるか、または各端末機に対するＲＮＴＩ値とスロット番号によって決定されることができる。ここで、ＲＮＴＩに対する例は、Ｃ−ＲＮＴＩ（Ｃｅｌｌ−ＲＮＴＩ）、ＳＰＳＣ−ＲＮＴＩ（Ｓｅｍｉ−Ｐｅｒｓｉｓｔｅｎｔ  Ｓｃｈｅｄｕｌｉｎｇ  Ｃ−ＲＮＴＩ）、ＳＩ−ＲＮＴＩ（Ｓｙｓｔｅｍ  Ｉｎｆｏｒｍａｔｉｏｎ−ＲＮＴＩ）、Ｐ−ＲＮＴＩ（Ｐａｇｉｎｇ−ＲＮＴＩ）、ＲＡ−ＲＮＴＩ（Ｒａｎｄｏｍ  Ａｃｃｅｓｓ−ＲＮＴＩ）などになることができる。
【００５７】
また、明示的方法の例としては、各端末機に対するｅＰＤＣＣＨがマッピングされることができるｅＣＣＥ位置は、ＲＲＣシグナリングまたは後述する新しく定義されたＤＣＩによって指定されることもできる。明示的方法のさらに他の例としては、ｅＣＣＥの位置を決定することができる規則（ｒｕｌｅ）をＲＲＣシグナリングまたは新しく定義されるＤＣＩによって選択するようにし、選択された規則によって端末機が決定するように構成されることもできる。
【００５８】
各端末機に対するｅＰＤＣＣＨがマッピングされることができるｅＣＣＥの位置は、スロット番号によってその位置が変わるように設定することができる。すなわち、例えば、任意の端末機に対するｅＰＤＣＣＨがスロット番号１では、三番目ｅＣＣＥからマッピングされるようにし、スロット番号２では、八番目ｅＣＣＥからマッピングされるようにすることができる。
【００５９】
従って、１つのＰＲＢ内に２つ以上の端末に対するｅＰＤＣＣＨが伝送される方式の場合には、前述した「全体ｅＰＤＣＣＨ伝送可能ｅＰＲＢ集合」に対する情報とｅＣＣＥに対する情報に基づいてｅＰＤＣＣＨが伝送される資源情報を把握することができる。
【００６０】
もし、「全体ｅＰＤＣＣＨ伝送可能ｅＰＲＢ集合」が動的に変動される場合には、明示的または暗示的にシグナリングされた「全体ｅＰＤＣＣＨ伝送可能ｅＰＲＢ集合」に対する情報とｅＣＣＥに対する情報を利用してｅＰＤＣＣＨが伝送される資源情報を把握するように構成されることができる。もし、「全体ｅＰＤＣＣＨ伝送可能ｅＰＲＢ集合」が基地局と端末との間にあらかじめ定められた規則によって決定される場合には、ｅＣＣＥに対する情報のみを利用してｅＰＤＣＣＨが伝送される資源情報を把握するように構成されることもできる。
【００６１】
２）１つのＰＲＢ内に１つの端末に対するｅＰＤＣＣＨだけが伝送される方式
まず、ｅＰＤＣＣＨがダウンリンク割り当て情報またはＰＤＳＣＨに対するスケジューリング情報を含んでいる場合に、ｅＰＤＣＣＨを伝送するために、図３〜図５を通じて前述した（方法１）〜（方法３）のような資源マッピング方法を使用することができる。
【００６２】
次に、ｅＰＤＣＣＨがアップリンクグラント（ｕｐｌｉｎｋ  ｇｒａｎｔ）情報またはアップリンクスケジューリング情報を含む場合にも、ｅＰＤＣＣＨを伝送するために、図３〜図５を通じて前述した（方法１）〜（方法３）のような資源マッピング方法を使用することができる。
【００６３】
但し、前述したように、ｅＰＤＣＣＨがダウンリンク割り当て情報またはＰＤＳＣＨに対するスケジューリング情報を含んでいる場合は（方法１）を採択し、ｅＰＤＣＣＨがアップリンクグラントまたはアップリンク割り当て情報を含んでいる場合は（方法３）を採択するように構成されることもできる。反対に、ｅＰＤＣＣＨがダウンリンク割り当て情報を含んでいる場合は（方法３）を採択し、ｅＰＤＣＣＨがアップリンクグラントまたはアップリンク割り当て情報を含んでいる場合は（方法１）を採択するように構成されることもできる。
【００６４】
一方、前述した１つのＰＲＢ内に２つ以上の端末に対するｅＰＤＣＣＨが伝送される方式とは異なって、１つのＰＲＢ内に１つの端末に対するｅＰＤＣＣＨだけが伝送される方式の場合には、ｅＣＣＥ単位でｅＰＤＣＣＨが伝送される位置を指定せず、端末別にＰＲＢ単位でｅＰＤＣＣＨが伝送される位置が指定されなければならない。
【００６５】
したがって、前述した基地局がセル内に属するすべての端末機にｅＰＤＣＣＨを伝送するために使用されることができるすべてのＰＲＢの集合に対する情報である「全体ｅＰＤＣＣＨ伝送可能ｅＰＲＢ集合」情報に追加的に、「全体ｅＰＤＣＣＨ伝送可能ｅＰＲＢ集合」のうち任意のユーザに対するｅＰＤＣＣＨがマッピングされることができるｅＰＲＢ資源をその端末機の「端末機別ｅＰＤＣＣＨ伝送可能ｅＰＲＢ集合」と定義することが必要である。
【００６６】
すなわち、基地局は、任意の端末機に対するｅＰＤＣＣＨを伝送するためにその端末機の「端末機別ｅＰＤＣＣＨ伝送可能ｅＰＲＢ集合」のうち一部のｅＰＲＢを利用して伝送することもでき、またはその端末機の「端末機別ｅＰＤＣＣＨ伝送可能ｅＰＲＢ集合」を構成するすべてのｅＰＲＢを利用して伝送することもできる。
【００６７】
このような「全体ｅＰＤＣＣＨ伝送可能ｅＰＲＢ集合」や「端末機別ｅＰＤＣＣＨ伝送可能ｅＰＲＢ集合」に対する情報は、基地局が上位レイヤを通じて端末機に通知することもできる。
【００６８】
この際、前述した情報を基地局が端末に伝達する上位レイヤに対する１つの例は、ＲＲＣ（Ｒａｄｉｏ  Ｒｅｓｏｕｒｃｅ  Ｃｏｎｔｒｏｌ）シグナリングになることができる（後述する）。
【００６９】
または、新しいＤＣＩ（Ｄｏｗｎｌｉｎｋ  Ｃｏｎｔｒｏｌ  Ｉｎｆｏｒｍａｔｉｏｎ）フォーマットを設計し、このＤＣＩ内に「全体ｅＰＤＣＣＨ伝送可能ｅＰＲＢ集合」や「端末機別ｅＰＤＣＣＨ伝送可能ｅＰＲＢ集合」に対する情報を含むようにして、端末機に通知することもできる（後述する）。
【００７０】
端末機は、各副フレーム内で自分に対するｅＰＤＣＣＨが存在するかを把握するために自分に対する「端末機別ｅＰＤＣＣＨ伝送可能ｅＰＲＢ集合」内だけで自分のｅＰＤＣＣＨを探索するように構成されることができる。したがって、「端末機別ｅＰＤＣＣＨ伝送可能ｅＰＲＢ集合」は、端末機の受信観点から見るとき、端末機が自分のｅＰＤＣＣＨを捜すために探索しなければならないサーチスペース（ｓｅａｒｃｈ  ｓｐａｃｅ）と見られる。これは、端末機のＰＤＣＣＨ及びｅＰＤＣＣＨ探索（ｓｅａｒｃｈ）方法で後述する。
【００７１】
一方、全体または端末機別ｅＰＤＣＣＨ伝送可能ｅＰＲＢ集合を構成するｅＰＲＢは、周波数軸で連続的なＰＲＢで構成されることもでき、不連続的なＰＲＢで構成されることもできる。
【００７２】
また、各ｅＰＲＢ内に１つの端末に対するｅＰＤＣＣＨだけが伝送される方式（方法２）のように、各副フレーム内で一番目スロットと二番目スロットの両方にｅＰＤＣＣＨが伝送されることができる場合に、ｅＰＲＢに番号を付与する方法は、さまざまなものが存在することができる。
【００７３】
図４は、そのうち１つの方法を示すものであって、各副フレーム内に存在するｅＰＲＢに対して、周波数が低いｅＰＲＢにまずｅＰＲＢ番号を付与し、周波数は、同一であり、スロット番号が異なる場合には、スロット番号が小さいｅＰＲＢにまずｅＰＲＢ番号を付与したものである。
【００７４】
実際にｅＰＤＣＣＨが伝送される端末機に対するｅＰＤＣＣＨは、ｅＰＲＢ資源に順次にマッピングするように構成されることができる。例えば、図３で、基地局が任意の端末機に対して実際にｅＰＤＣＣＨを伝送し、そのｅＰＤＣＣＨがマッピングされる資源の開始位置がｅＰＲＢ  ＃１であり、３個のｅＰＲＢにマッピングされるとすれば、この端末機に対するｅＰＤＣＣＨは、ｅＰＲＢ  ＃１、＃２、＃３に順次にマッピングされる。
【００７５】
基地局の端末に対するｅＰＤＣＣＨ伝送情報シグナリング方法
以上説明したように、端末機がｅＰＤＣＣＨを通じてダウンリンク制御情報などを伝達されるためには、あらかじめ基地局が端末機にｅＰＤＣＣＨに対する情報を通知しなければならない。基地局が端末機にｅＰＤＣＣＨに対する情報を通知するために次のような方法を使用することができる。
【００７６】
（方法Ａ）ＲＲＣシグナリングを通じてｅＰＤＣＣＨに対するスケジューリング情報を通知する方法
基地局がＲＲＣ（Ｒａｄｉｏ  Ｒｅｓｏｕｒｃｅ  Ｃｏｎｔｒｏｌ）シグナリングを通じて端末機にｅＰＤＣＣＨに対する正確なスケジューリング情報を通知するように構成されることができる。この際、スケジューリング情報は、ｅＰＤＣＣＨ（すなわち、制御情報がマッピングされたｅＣＣＥ資源）が伝送される時間及び／または周波数資源に対する情報を含むことができる。この場合には、基地局がＲＲＣシグナリングを利用してｅＰＤＣＣＨが伝送される資源の位置を直接的に端末に通知するようになるので、端末は、追加的なｅＰＤＣＣＨ領域探索（ｓｅａｒｃｈ）なしにＲＲＣシグナリングによって指示された位置の資源で自分に伝送されたダウンリンク制御情報を獲得すればよい。
【００７７】
ｅＰＤＣＣＨで伝送される制御情報に対する変調方法は、強靭な伝送のためにＢＰＳＫまたはＱＰＳＫ方法のみを適用するようにすることもでき、またはＲＲＣシグナリングを通じてＭＣＳ（ｍｏｄｕｌａｔｉｏｎ  ａｎｄ  ｃｏｄｉｎｇ  ｓｃｈｅｍｅ）情報を通知することもできる。追加的に、このスケジューリング情報は、ｅＰＤＣＣＨに対するランク（ｒａｎｋ）情報を含むことができる。追加的に、このスケジューリング情報は、ｅＰＤＣＣＨに対する送信アンテナポートに対する情報を含むことができる。
【００７８】
もし、ＰＤＳＣＨがｅＰＤＣＣＨのような時間−周波数資源を利用して互いに異なるアンテナポートを利用して（すなわち、互いに異なるアンテナ階層（ｌａｙｅｒ）を利用して）同時に伝送される場合には、ＲＲＣシグナリングを通じてＰＤＳＣＨの同時伝送可否などを端末機に通知することもでき、また、追加的にＰＤＳＣＨに対するランク情報または送信アンテナポート情報を通知することもできる。
【００７９】
（方法Ｂ）新しいダウンリンク制御情報を通じて通知する方法
基地局が端末機にｅＰＤＣＣＨに対する情報を通知するためのさらに他の方法は、新しいフォーマットを有するダウンリンク制御情報フォーマット（従来に存在するさまざまなＤＣＩフォーマット以外に追加的にｅＰＤＣＣＨに対する情報を指示するための新しいＤＣＩフォーマットを定義するものである）を使用するものである。そして、このような新しいフォーマットを有するＤＣＩを伝送する制御チャネルは、３ＧＰＰ  ＬＴＥ  Ｒｅｌｅａｓｅ  ８、Ｒｅｌｅａｓｅ  ９、またはＬＴＥ−Ａｄｖａｎｃｅｄ  Ｒｅｌｅａｓｅ  １０規格でＰＤＣＣＨが伝送される領域に存在することができる。
【００８０】
図６は、本発明によるｅＰＤＣＣＨを指定するために新しく定義されたフォーマットを有するＤＣＩ  １１１とｅＰＤＣＣＨ  １３０の概念を説明するための概念図である。
【００８１】
図６を参照すれば、新しいフォーマットのＤＣＩ  １１１を伝送する制御チャネルは、各副フレームで初めて１個、または初めて２個、または初めて３個のＯＦＤＭシンボル領域に存在することができる。
【００８２】
新しいフォーマットを有するＤＣＩは、ｅＰＤＣＣＨに対するスケジューリング情報を含むようにする。ここで言うスケジューリング情報は、ｅＰＤＣＣＨが伝送される時間及び／または周波数資源に対する情報を含むことができる。また、スケジューリング情報は、ｅＰＤＣＣＨに対するＭＣＳ（ｍｏｄｕｌａｔｉｏｎ  ａｎｄ  ｃｏｄｉｎｇ  ｓｃｈｅｍｅ）情報を含むこともできる。
【００８３】
また、スケジューリング情報は、ｅＰＤＣＣＨに対するランク情報または送信アンテナポートに対する情報を含むこともできる。ＰＤＳＣＨがｅＰＤＣＣＨのような時間、周波数資源を利用して同時に伝送される場合には、ＰＤＳＣＨの同時伝送可否などをスケジューリング情報に含むこともでき、また、ＰＤＳＣＨに対するランク情報または送信アンテナポートに対する情報を通知することもできる。
【００８４】
この際、新しいフォーマットを有するＤＣＩを伝送する制御チャネル（ＰＤＣＣＨ）は、端末機が自分に伝送されたＰＤＣＣＨを捜すために探索しなければならない領域のうち端末機別サーチスペース（ＵＥ−ｓｐｅｃｉｆｉｃ  ｓｅａｒｃｈ  ｓｐａｃｅ）に存在することができる。
【００８５】
（方法Ｃ）ＲＲＣシグナリングを通じてｅＰＤＣＣＨが伝送されることができる領域に対する情報を通知する方法
方法Ｃは、基地局が「全体ｅＰＤＣＣＨ伝送可能ｅＰＲＢ集合」に対する情報と「端末機別ｅＰＤＣＣＨ伝送可能ｅＰＲＢ集合」に対する情報を両方ともＲＲＣシグナリングを通じて端末に直接的に通知するか、２つの情報のうち１つだけをＲＲＣシグナリングを通じて明示的に端末に通知するものである。
方法Ｃは、次の方法のうち１つを利用してシグナリングが可能である。
【００８６】
１つの方法は、基地局が「全体ｅＰＤＣＣＨ伝送可能ｅＰＲＢ集合」を端末機に通知し、各端末機は、自分のＲＮＴＩ値や、ＲＮＴＩ値とスロット番号を利用して自分に対する「端末機別ｅＰＤＣＣＨ伝送可能ｅＰＲＢ集合」を捜す方法である。
【００８７】
また、この全体ｅＰＤＣＣＨ伝送可能ｅＰＲＢ集合を構成するｅＰＲＢの周波数位置は、新しいシグナルが来る前までは各副フレームに対して続いて同一の位置を示すことができる。すなわち、「全体ｅＰＤＣＣＨ伝送可能ｅＰＲＢ集合」は、新しいシグナリングを受ける前までは、最近に受信した情報が有効なものになるように構成することができる。
【００８８】
端末機は、それぞれの副フレーム内に自分に対するｅＰＤＣＣＨが存在するかを把握するために「端末機別ｅＰＤＣＣＨ伝送可能ｅＰＲＢ集合」内だけでｅＰＤＣＣＨを探索すれば良い。したがって、端末機の受信観点から見れば、「端末機別ｅＰＤＣＣＨ伝送可能ｅＰＲＢ集合」は、その端末機に対するｅＰＤＣＣＨサーチスペース（ｓｅａｒｃｈ  ｓｐａｃｅ）になる。
【００８９】
さらに他の方法は、基地局がそれぞれの端末機に「端末機別ｅＰＤＣＣＨ伝送可能ｅＰＲＢ集合」を端末機別パラメータ（ＵＥ−ｓｐｅｃｉｆｉｃ  ｐａｒａｍｅｔｅｒ）を利用して直接通知する方法である。この場合、端末機は、基地局から受けたシグナリングを通じて自分の「端末機別ｅＰＤＣＣＨ伝送可能ｅＰＲＢ集合」を把握することができ、自分の「端末機別ｅＰＤＣＣＨ伝送可能ｅＰＲＢ集合」内で自分に対するｅＰＤＣＣＨが実際に伝送されたかを探索すれば良い。
【００９０】
この際、各端末機ごとに互いに異なる「端末機別ｅＰＤＣＣＨ伝送可能ｅＰＲＢ集合」を通知することもでき、または複数の端末機をグループでまとめて同じグループに属する端末機には、同一の「端末機別ｅＰＤＣＣＨ伝送可能ｅＰＲＢ集合」を通知することができる。また、この端末機別ｅＰＤＣＣＨ伝送可能ｅＰＲＢ集合を構成するｅＰＲＢの周波数位置は、新しいシグナルが来る前までは各副フレームに対して続いて同一の位置を示すことができる。すなわち、当該端末機に対する「端末機別ｅＰＤＣＣＨ伝送可能ｅＰＲＢ集合」は、新しいシグナルを受ける前までは最近に受信した情報が有効なものになるように構成することができる。
【００９１】
また、このシグナリング情報には、ｅＰＤＣＣＨで伝送される制御情報に対するＭＣＳ（ｍｏｄｕｌａｔｉｏｎ  ａｎｄ  ｃｏｄｉｎｇ  ｓｃｈｅｍｅ）情報を含むこともできる。また、このシグナリング情報には、ｅＰＤＣＣＨに対するランク情報または送信アンテナポートに対する情報を含むこともできる。
【００９２】
端末機のＰＤＣＣＨ及びｅＰＤＣＣＨ探索（ｓｅａｒｃｈ）方法
３ＧＰＰ  ＬＴＥ  Ｒｅｌｅａｓｅ  ８、９またはＬＴＥ−Ａｄｖａｎｃｅｄ  Ｒｅｌｅａｓｅ  １０規格で、各端末機は、自分に伝送されたＰＤＣＣＨを捜すためにすべての端末機が共通で捜す領域である「共通サーチスペース（ｃｏｍｍｏｎ  ｓｅａｒｃｈ  ｓｐａｃｅ）」と端末機別に捜す領域が区分されている「端末機別サーチスペース（ＵＥ−ｓｐｅｃｉｆｉｃｓｅａｒｃｈ  ｓｐａｃｅ）」を探索するようになっている。本発明によるダウンリンク制御情報送受信方法では、前述したように、基地局がシグナリングするかまたは暗示的な方法によって決定されたｅＰＤＣＣＨ伝送領域は、追加的な「端末機別サーチスペース」に含まれるものと理解されることができる。
【００９３】
また、前述したように、ｅＰＤＣＣＨを通じて伝送されるダウンリンク制御情報は、従来のＬＴＥ（３ＧＰＰ  ｒｅｌｅａｓｅ  ８〜１０）で規定したダウンリンク制御情報（ＤＣＩ：Ｄｏｗｎｌｉｎｋ  Ｃｏｎｔｒｏｌ  Ｉｎｆｏｒｍａｔｉｏｎ）と同一のフォーマットを利用して構成されることができる。または、ｅＰＤＣＣＨを通じて伝送されるダウンリンク制御情報のために新しいＤＣＩフォーマットを定義し、新しく定義されたＤＣＩフォーマット（一方、この新しく定義されたＤＣＩフォーマットは、前述した図６を通じて説明されたｅＰＤＣＣＨ領域をシグナリングするために新しく定義されるＤＣＩフォーマットとは区別が必要）を利用してダウンリンク制御情報が伝送されるように構成されることもできる。
【００９４】
以下では、端末機がｅＰＤＣＣＨ伝送領域を指示するために伝送される新しく定義されたフォーマットのＤＣＩを探索する方法と、ｅＰＤＣＣＨ伝送領域を通じて伝送されたＤＣＩをｅＰＤＣＣＨ伝送領域で探索する方法を説明する。
【００９５】
まず、端末機が新しく定義されたＤＣＩフォーマットを探索する方法について記述する。
端末機が図６を通じて説明された新しく定義されたＤＣＩ（ｅＰＤＣＣＨ伝送領域を指示するためのＤＣＩ）を探索する方法は、次のような方法を使用するように設定されることができる。
【００９６】
（方法Ａ）端末機が端末機別サーチスペースで既存のＤＣＩフォーマットのみを探索するようにする方法。すなわち、方法Ａは、従来ＰＤＣＣＨ領域で新しいフォーマットのＤＣＩが伝送されないようにする方法である。したがって、方法Ａの場合は、ｅＰＤＣＣＨ自体を使用しないか、新しいフォーマットのＤＣＩではない他の方式（例えば、ＲＲＣシグナリング）を利用してｅＰＤＣＣＨの存在をシグナリングする場合に利用されることができる方法である。
【００９７】
（方法Ｂ）端末機が端末機別サーチスペースで新しいＤＣＩフォーマットのみを探索するようにする方法。すなわち、方法Ｂは、新しいフォーマットのＤＣＩが従来ＰＤＣＣＨ領域の端末機別サーチスペースを通じて伝送され、共通サーチスペースを通じては新しいフォーマットのＤＣＩが伝送されないようにする方法である。
【００９８】
（方法Ｃ）端末機が端末機別サーチスペースで既存のＤＣＩフォーマットと新しいＤＣＩフォーマットをすべて探索するようにする方法。すなわち、方法Ｃは、新しいフォーマットのＤＣＩと従来のＤＣＩがいずれも端末機別サーチスペースを通じて伝送されることができるように構成する方法である。
【００９９】
（方法Ａ）〜（方法Ｃ）の場合に、基地局は、端末機が端末機別サーチスペースで既存のＤＣＩフォーマットを探索しなければならないか、新しいＤＣＩフォーマットを探索しなければならないかをシグナリングを通じて端末機に通知することができる。シグナリング方法に対する１つの例は、ＲＲＣシグナリングを通じて通知するものである。
【０１００】
次に、端末機がｅＰＤＣＣＨ領域を探索する方法を説明する。
端末機は、自分に伝送された制御チャネルが存在するかを把握するために、既存のＰＤＣＣＨ領域で共通サーチスペースを探索し、またＲＲＣシグナリングを通じて認知したｅＰＤＣＣＨサーチスペース領域を探索するものである。すなわち、基地局がシグナリングするか、または暗示的な方法によって決定されたｅＰＤＣＣＨ伝送領域が追加的な「端末機別サーチスペース」に含まれるものと理解されることができる。
【０１０１】
前述したように、基地局が端末機にｅＰＤＣＣＨサーチスペースを通知する方法は、次の方法のうち１つを利用してシグナリングが可能である。
【０１０２】
１つの方法は、基地局が「全体ｅＰＤＣＣＨ伝送可能ｅＰＲＢ集合」を端末機に通知し、各端末機は、自分のＲＮＴＩ値や、ＲＮＴＩ値とスロット番号を利用して自分に対する「端末機別ｅＰＤＣＣＨ伝送可能ｅＰＲＢ集合」を捜す方法である。端末機は、それぞれの副フレーム内に自分に対するｅＰＤＣＣＨが存在するかを把握するために「端末機別ｅＰＤＣＣＨ伝送可能ｅＰＲＢ集合」内だけでｅＰＤＣＣＨを探索すれば良い。したがって、端末機の受信観点から見るとき、「端末機別ｅＰＤＣＣＨ伝送可能ｅＰＲＢ集合」は、その端末機に対するｅＰＤＣＣＨサーチスペース（ｓｅａｒｃｈ  ｓｐａｃｅ）になる。
【０１０３】
さらに他の方法は、基地局がそれぞれの端末機に端末機別パラメータ（ＵＥ−ｓｐｅｃｉｆｉｃ  ｐａｒａｍｅｔｅｒ）を利用して「端末機別ｅＰＤＣＣＨ伝送可能ｅＰＲＢ集合」を通知するものである。端末機は、自分の「端末機別ｅＰＤＣＣＨ伝送可能ｅＰＲＢ集合」だけでｅＰＤＣＣＨの存在有無を探索すれば良い。
【０１０４】
複数の伝送及び受信点が存在する場合に対するｅＰＤＣＣＨ設計方法
同じセル内に地理的に離れた複数の伝送及び受信点（Ｔｒａｎｓｍｉｓｓｉｏｎ／Ｒｅｃｅｐｔｉｏｎ  Ｐｏｉｎｔ）が存在することができ、各伝送及び受信点が１つ以上の伝送及び受信アンテナを有する環境について説明する。すなわち、伝送点が同じセルに属し、同一のセルＩＤを有する環境を考慮する。伝送及び受信点は、Ｒｅｍｏｔｅ  Ｒａｄｉｏ  Ｈｅａｄ（ＲＲＨ）あるいはＲｅｍｏｔｅ  Ｒａｄｉｏ  Ｕｎｉｔ（ＲＲＵ）などと呼ばれることができる。このＲＲＨは、光ファイバ（Ｏｐｔｉｃａｌ  Ｆｉｂｅｒ）、マイクロウエーブ（Ｍｉｃｒｏｗａｖｅ）などを利用して基地局と連結されて情報を取り交わすことができる。
【０１０５】
このような環境でｅＰＤＣＣＨを生成する方法について説明する。
ｅＰＤＣＣＨ生成時にビット単位スクランブリング（Ｂｉｔ−Ｌｅｖｅｌ  Ｓｃｒａｍｂｌｉｎｇ）を使用することができる。この際、伝送点の間にｅＰＤＣＣＨ資源を再使用するために仮想セルＩＤを導入することができる。すなわち、１つのセル内に属する伝送点は、同一のセルＩＤを有するが、互いに異なる仮想セルＩＤを有することができるようにする。それで、ｅＰＤＣＣＨに対するビット単位スクランブリングのためのスクランブリングシーケンスを生成するための１つの方法は、セルＩＤの代りに、ｅＰＤＣＣＨが伝送される伝送点の仮想セルＩＤを利用してスクランブリングシーケンスを生成するものである。ｅＰＤＣＣＨに対するビット単位スクランブリングのためのスクランブリングシーケンスを生成するさらに他の方法は、セルＩＤを利用してスクランブリングシーケンスを生成するものである。
【０１０６】
新しいＤＣＩフォーマット情報を伝送するＰＤＣＣＨ生成時に、ビット単位スクランブリング（Ｂｉｔ−Ｌｅｖｅｌ  Ｓｃｒａｍｂｌｉｎｇ）を使用することができる。この際、このＰＤＣＣＨに対するビット単位スクランブリングのためのスクランブリングシーケンスを生成するとき、１つの方法は、セルＩＤを利用してスクランブリングシーケンスを生成するものである。このＰＤＣＣＨに対するビット単位スクランブリングのためのスクランブリングシーケンスを生成するさらに他の方法は、セルＩＤの代わりに、このＰＤＣＣＨが伝送される伝送点の仮想セルＩＤを利用してスクランブリングシーケンスを生成することができる。
【０１０７】
アップリンク物理制御チャネル設計方法
今まで説明されたｅＰＤＣＣＨによってスケージュリングされたＰＤＳＣＨに対するＡＣＫ／ＮＡＣＫ情報をアップリンク物理制御チャネル（Ｐｈｙｓｉｃａｌ  Ｕｐｌｉｎｋ  Ｃｏｎｔｒｏｌ  Ｃｈａｎｎｅｌ：ＰＵＣＣＨ）で伝送するためには、ｅＰＤＣＣＨによってスケージュリングされたＰＤＳＣＨとこれに対するＡＣＫ／ＮＡＣＫ情報が伝送されるＰＵＣＣＨ資源間の関係が設定されなければならない。
【０１０８】
以下では、ＰＵＣＣＨでｅＰＤＣＣＨによってスケージュリングされたＰＤＳＣＨに対するＡＣＫ／ＮＡＣＫ（または、ＡＣＫ／ＮＡＫ）情報を伝送する方法について説明する。
【０１０９】
特に、ｅＰＤＣＣＨが１つのアンテナポートだけで伝送され、ｅＰＤＣＣＨによってスケージュリングされたＰＤＳＣＨが１つのアンテナポートで伝送された場合のＰＵＣＣＣＨ伝送方法をまず説明する。
【０１１０】
１）１つのＰＲＢ内に２つ以上の端末に対するｅＰＤＣＣＨが伝送される方式で伝送されたｅＰＤＣＣＨによってスケージュリングされたＰＤＳＣＨに対するＡＣＫ／ＮＡＣＫ伝送方法
前述したように、１つのＰＲＢ内に２つ以上の端末に対するｅＰＤＣＣＨが伝送される方式では、それぞれのｅＰＲＢ内に複数の端末機に対するｅＰＤＣＣＨの一部または全体が互いにインターリビングされて伝送されることができる。この際、ｅＰＤＣＣＨで伝送される各端末機に対する制御情報は、ｅＣＣＥ単位で時間−周波数資源にマッピングされる。
【０１１１】
まず、ｅＰＤＣＣＨによってスケジューリングされるＰＤＳＣＨに対するＡＣＫ／ＮＡＣＫ情報を伝送するために、１つの送信アンテナポートを使用してＰＵＣＣＨを伝送する場合を説明する。
【０１１２】
ＰＵＣＣＨ伝送を利用して使用される１つの送信アンテナポートをｐ０とすれば、送信アンテナポートｐ０に対するＰＵＣＣＨ資源
0005722503.tif 000002
は、次のように設定することができる。
【０１１３】
【数１】
0005722503.tif 000003
【０１１４】
ここで、
0005722503.tif 000004
は、ＰＤＳＣＨに対するスケジューリング情報を含むｅＰＤＣＣＨを構成するｅＣＣＥのうち最も低いｅＣＣＥ番号（Ｌｏｗｅｓｔ  ｅＣＣＥ  ｉｎｄｅｘ）を示し、
0005722503.tif 000005
値は、上位レイヤによって設定される（ｃｏｎｆｉｇｕｒｅｄ）パラメータであって、ＲＲＣ（Ｒａｄｉｏ  Ｒｅｓｏｕｒｃｅ  Ｃｏｎｔｒｏｌ）によって提供されることができる。
【０１１５】
すなわち、数式１は、
0005722503.tif 000006
から始まるｅＣＣＥを利用して伝送されたｅＰＤＣＣＨによってスケージュリングされたＰＤＳＣＨに対するＡＣＫ／ＮＡＣＫ情報が
0005722503.tif 000007
として指定されるＰＵＣＣＨ資源を利用して伝送されるということを意味する。
【０１１６】
次に、ｅＰＤＣＣＨによってスケジューリングになるＰＤＳＣＨに対するＡＣＫ／ＮＡＣＫを伝送するために、２つの送信アンテナポートを使用する場合について説明する。すなわち、この場合は、同一のＡＣＫ／ＮＡＣＫ情報を２つの送信アンテナポートを利用して伝送する場合に適用されることができる。
【０１１７】
この場合、２つの送信アンテナポートｐ０とｐ１に対するＰＵＣＣＨ資源
0005722503.tif 000008
は、次のように設定することができる。送信アンテナポートｐ０に対しては、前述した送信アンテナポートが１つである場合と同一の方法で設定することができる。すなわち、次のように示すことができる。
【０１１８】
【数２】
0005722503.tif 000009
【０１１９】
二番目送信アンテナポートｐ１に対しては、次のように設定することができる。
【０１２０】
【数３】
0005722503.tif 000010
【０１２１】
ここで、Ｍ１は、固定された値であって、Ｍ１値に対する１つの例は、Ｍ１＝１を使用するものである。
【０１２２】
以下、
0005722503.tif 000011
値を設定する方法について説明する。この値は、上位レイヤによって設定される値であって、次のような方法で設定することができる。
【０１２３】
（方法Ａ）
0005722503.tif 000012
値をすべての端末機に同一に設定する方法
（方法Ａ）は、すべての端末機に
0005722503.tif 000013
を同一の値に設定するものである。すなわち、セル共通パラメータ（ｃｅｌｌ−ｓｐｅｃｉｆｉｃ  ｐａｒａｍｅｔｅｒ）に設定するものである。このようにするために、ＲＲＣパラメータのうちすべての端末機に共通に適用されるパラメータを利用して端末機に通知することができる。
0005722503.tif 000014
をすべての端末機に同一に設定するさらに他の方法は、ＲＲＣパラメータのうち端末機ごとに異なるように設定するパラメータ（ＵＥ−ｓｐｅｃｉｆｉｃ  ｐａｒａｍｅｔｅｒ）を使用しながら、そのパラメータをすべての端末機に同一の値に設定するものである。
【０１２４】
（方法Ｂ）
0005722503.tif 000015
値を端末機別パラメータを利用して設定する方法
（方法Ｂ）は、
0005722503.tif 000016
を端末機別パラメータ（ＵＥ−ｓｐｅｃｉｆｉｃ  ｐａｒａｍｅｔｅｒ）を利用して端末機に通知するものである。ＲＲＣパラメータのうち端末機ごとに値を設定することができるパラメータを利用してその端末機に通知するものである。この際、端末機をグループにまとめてそのグループに属するすべての端末機に同一の値を設定することを含む。
【０１２５】
２）１つのＰＲＢ内に１つの端末に対するｅＰＤＣＣＨが伝送される方式で伝送されたｅＰＤＣＣＨによってスケージュリングされたＰＤＳＣＨに対するＡＣＫ／ＮＡＣＫ伝送方法
前述したように、１つのＰＲＢ内に１つの端末に対するｅＰＤＣＣＨが伝送される方式では、それぞれのｅＰＲＢ内にただ１つの端末機に対するｅＰＤＣＣＨの一部または全体が伝送されることができる。この際、ｅＰＤＣＣＨで伝送される各端末機に対する制御情報は、ｅＰＲＢ単位で時間−周波数資源にマッピングされる。すなわち、各端末機に対するｅＰＤＣＣＨは、ｅＰＲＢ単位で構成される。
【０１２６】
ｅＰＤＣＣＨによってスケジューリングされるＰＤＳＣＨに対するＡＣＫ／ＮＡＣＫ情報をＰＵＣＣＨで伝送するために、１つの送信アンテナポートを使用する場合についてまず説明する。送信アンテナポートをｐ０とする。
【０１２７】
送信アンテナポートｐ０に対するＰＵＣＣＨ資源
0005722503.tif 000017
は、次のように設定することができる。
【０１２８】
【数４】
0005722503.tif 000018
【０１２９】
ここで、
0005722503.tif 000019
値は、当該端末機のｅＰＤＣＣＨを構成するｅＰＲＢのうち最も低いｅＰＲＢインデックス（Ｌｏｗｅｓｔ  ｅＰＲＢ  ｉｎｄｅｘ）を示す。すなわち、例えば、ｅＰＤＣＣＨが図３または図４または図５でｅＰＲＢ  ＃２、３、４にマッピングされるとすれば、
0005722503.tif 000020
値は、２になる。
【０１３０】
このｅＰＤＣＣＨによってスケジューリングされるＰＤＳＣＨに対するＡＣＫ／ＮＡＣＫ情報をＰＵＣＣＨで伝送するために、２つの送信アンテナポートｐ０とｐ１を使用する場合について説明する。
【０１３１】
送信アンテナポートｐ０に対するＰＵＣＣＨ資源
0005722503.tif 000021
は、送信アンテナ数が１つである場合と同一に資源を設定することができる。すなわち次のように示すことができる。
【０１３２】
【数５】
0005722503.tif 000022
【０１３３】
二番目送信アンテナポートｐ１に対するＰＵＣＣＨ資源
0005722503.tif 000023
は、次のような方法で設定することができる。
【０１３４】
【数６】
0005722503.tif 000024
【０１３５】
ここで、Ｍ２値は、固定定数であって、Ｍ２に対する１つの例は、Ｍ２＝１を使用するものである。
【０１３６】
0005722503.tif 000025
値は、上位レイヤによって設定される（ｃｏｎｆｉｇｕｒｅｄ）パラメータであって、ＲＲＣ（Ｒａｄｉｏ  Ｒｅｓｏｕｒｃｅ  Ｃｏｎｔｒｏｌ）によって提供されることができる。この値
0005722503.tif 000026
は、次のような方法で設定が可能である。
【０１３７】
（方法Ａ）
0005722503.tif 000027
値をすべての端末機に同一に設定する方法
（方法Ａ）は、すべての端末機に
0005722503.tif 000028
値を同一の値に設定するものである。すなわち、セル共通パラメータ（ｃｅｌｌ−ｓｐｅｃｉｆｉｃ  ｐａｒａｍｅｔｅｒ）に設定するものである。このようにするために、ＲＲＣパラメータのうちすべての端末機に共通に適用されるパラメータを利用して端末機に通知することができる。
0005722503.tif 000029
値をすべての端末機に同一に設定するさらに他の方法は、ＲＲＣパラメータのうち端末機ごとに異なるように設定するパラメータを使用しながら、そのパラメータをすべての端末機に同一の値に設定するものである。
【０１３８】
（方法Ｂ）
0005722503.tif 000030
値を端末機別パラメータを利用して設定する方法
（方法Ｂ）は、
0005722503.tif 000031
値を端末機別パラメータ（ＵＥ−ｓｐｅｃｉｆｉｃ  ｐａｒａｍｅｔｅｒ）を利用して端末機に通知するものである。ＲＲＣパラメータのうち端末機ごとに値を設定することができるパラメータを利用してその端末機に通知するものである。この際、端末機をグループにまとめてそのグループに属するすべての端末機に同一の値を設定することをも含む。
【０１３９】
次に、１つまたは複数のｅＰＤＣＣＨが同一の時間−周波数資源に対して複数の送信アンテナポートを利用して伝送されるか、または複数の可能な送信アンテナポートのうち一部の送信アンテナポートを利用して伝送される場合を説明する。
【０１４０】
この際、複数のｅＰＤＣＣＨは、１つの端末機に対する制御情報を含むこともでき、または複数の端末機に対する制御情報を含むこともできる。すなわち、複数のｅＰＤＣＣＨが同一の時間、周波数資源を利用しながら、基地局の互いに異なる送信アンテナポートを利用して伝送される場合についてまず説明する。
【０１４１】
任意のＰＤＳＣＨに対するスケジューリング情報を含むｅＰＤＣＣＨが基地局の
0005722503.tif 000032
番目送信アンテナポートを利用して伝送されたと仮定する。
【０１４２】
まず、ｅＰＤＣＣＨによってスケジューリングされるＰＤＳＣＨに対するＡＣＫ／ＮＡＣＫ情報をＰＵＣＣＨで伝送するために、１つの送信アンテナポートを使用する場合についてまず説明する。
【０１４３】
この際、ＰＵＣＣＨを伝送するために使用する送信アンテナポートをｐ０とすれば、送信アンテナポートｐ０に対するＰＵＣＣＨ資源
0005722503.tif 000033
は、次のように設定することができる。
【０１４４】
【数７】
0005722503.tif 000034
【０１４５】
一方、数式７は、１つのＰＲＢ内に１つの端末に対するｅＰＤＣＣＨが伝送される方式に対応するもので、もし数式７が１つのＰＲＢ内に２つ以上の端末に対するｅＰＤＣＣＨが伝送される方式に対応する場合なら、
0005722503.tif 000035
に代替されることができる。
【０１４６】
ここで、
0005722503.tif 000036
は、当該ｅＰＤＣＣＨに対する送信アンテナポート（ｑ）に対する情報を示す。
0005722503.tif 000037
値を設定する１つの方法に対する例は、次の通りである。例えば、ｅＰＤＣＣＨを伝送するために使用することができる全体送信アンテナポート個数のうち
0005722503.tif 000038
番目送信アンテナポートを使用したとすれば、
0005722503.tif 000039
に設定するものである。すなわち、一番目送信アンテナポートを使用したとすれば、
0005722503.tif 000040
に設定するものである。
【０１４７】
また、
0005722503.tif 000041
を設定する１つの方法は、
0005722503.tif 000042
に設定するものである。
0005722503.tif 000043
を設定するさらに他の方法は、基地局が上位レイヤを通じて端末機に通知するのである。この時、上位レイヤ方法に対する１つの例は、ＲＲＣ（Ｒａｄｉｏ  Ｒｅｓｏｕｒｃｅ  Ｃｏｎｔｒｏｌ）シグナリングを通じて通知するものである。基地局が上位レイヤを通じて端末機に
0005722503.tif 000044
値を通知する場合に、セル共通（ｃｅｌｌ−ｓｐｅｃｉｆｉｃ）パラメータを利用してすべての端末機に共通の値を通知することもでき、または端末機別（ＵＥ−ｓｐｅｃｉｆｉｃ）パラメータを通じて端末機に個別的に通知することもできる。
【０１４８】
以下、ｅＰＤＣＣＨによってスケジューリングされるＰＤＳＣＨに対するＡＣＫ／ＮＡＣＫ情報をＰＵＣＣＨで伝送するために、２つの送信アンテナポートｐ０とｐ１を使用する場合について説明する。
【０１４９】
送信アンテナポートｐ０に対するＰＵＣＣＨ資源
0005722503.tif 000045
は、送信アンテナポート数が１つである場合と同一に資源を設定することができる。すなわち、次のように示すことができる。
【０１５０】
【数８】
0005722503.tif 000046
【０１５１】
数式８は、数式７と同様に、１つのＰＲＢ内に１つの端末に対するｅＰＤＣＣＨが伝送される方式に対応したもので、もし数式８が１つのＰＲＢ内に２つ以上の端末に対するｅＰＤＣＣＨが伝送される方式に対応する場合なら、
0005722503.tif 000047
に代替されることができる。
【０１５２】
二番目送信アンテナポートｐ１に対するＰＵＣＣＨ資源
0005722503.tif 000048
は、次のような方法で設定することができる。
【０１５３】
【数９】
0005722503.tif 000049
ここで、Ｍ３値は、固定定数であって、Ｍ３に対する１つの例は、Ｍ３＝１を使用するものである。
【０１５４】
以上実施例を参照して説明したが、当該技術分野の熟練された当業者は、下記の特許請求の範囲に記載した本発明の思想及び領域を逸脱しない範囲内で本発明を多様に修正及び変更させることができることを理解することができる。
【図１】
0005722503.tif 000050
【図２】
0005722503.tif 000051
【図３】
0005722503.tif 000052
【図４】
0005722503.tif 000053
【図５】
0005722503.tif 000054
【図６】
0005722503.tif 000055